(57)【要約】【課題】製造コストの低減を図ることができ、且つ、品質を確保することができる蓋付ケースの提供。【解決手段】透明カバー材60の短辺に沿った端縁部分61に設けた嵌合突起62を、蓋部30の短辺に沿った端縁部分35に形成した凹部36に嵌合させることで、透明カバー材60を蓋部30に取り付けるようにし、これにより、透明カバー材60で蓋部30の表側の面34全体を覆うようにしたので、蓋付ケース10の外観品質を向上することができる。また、蓋部30に開口した窓部の大きさや形状によらず、透明カバー材60で窓部を塞ぐことができるので、透明カバー材60を窓部に精度よく対応させる必要がなく、これにより、製造コストの低減を容易に図ることができる。【選択図】    図６
2014227210.tif 000002
【特許請求の範囲】
【請求項１】
長方形状に形成された開口を有する箱状の収納部と、この収納部の開口を閉じるための蓋部とを備えた蓋付ケースであって、
前記蓋部には、外部から前記収納部の内部を視認させるために開口された窓部と、当該蓋部の外側の面を覆うとともに前記窓部を塞ぐ透明カバー材とが設けられ、
前記透明カバー材の短辺に沿った端縁部分には、前記蓋部の短辺に沿った端縁部分に形成された嵌合部と嵌合する被嵌合部が設けられていることを特徴とする蓋付ケース。
【請求項２】
前記蓋部の長辺に沿った端縁部分には、当該蓋部の厚さ方向に突出する側壁部が設けられていることを特徴とする請求項1記載の蓋付ケース。
【請求項３】
前記蓋部及び前記透明カバー材の間には、収納される内容物に関する情報が記されたシート状の表示部が介装可能となっていることを特徴とする請求項1又は２記載の蓋付ケース。
【発明の詳細な説明】
【技術分野】
【０００１】
本発明は、長方形状に形成された開口を有する箱状の収納部と、この収納部の開口を閉じるための蓋部とを備えた蓋付ケースに関する。
【背景技術】
【０００２】
従来から、鉛筆等の筆記具を内部に収納するために、上面が開口された箱状に形成されている収納部と、この収納部の上面の開口を塞ぐための蓋部とが一体成形された蓋付ケースが利用されている。
このような蓋付ケースとしては、収納部及び蓋部の一側縁同士を連結する帯部を設け、この帯部の中間部分を折れ曲がり可能とすることで、収納部に対して蓋部を回動可能に連結したものが知られている（例えば、特許文献１参照）。
【０００３】
内部に収納する物が色鉛筆の場合、蓋部に窓部を開口すれば、収納部の内部に収納した色鉛筆が外部から視認でき、外観がカラフルとなり、商品価値が向上する。ここで、窓部に透明カバー材を嵌め込んで、透明カバー材で窓部を塞げば、単なる開口のままの窓部よりも、蓋付ケースの外観についての品質をより良いものにすることができる。
【０００４】
また、蓋付ケースに収納される内容物の情報が記されたシートを透明板の内側に配置し、窓部を通してシートに記された情報を視認できるようにすれば、当該情報を蓋付ケースに直接記する必要がなく、蓋付ケースに情報を容易に付することができ、蓋付ケースのコストダウンが図れるようになる。
【先行技術文献】
【特許文献】
【０００５】
【特許文献１】特開２０１０−８２３６３号公報
【発明の概要】
【発明が解決しようとする課題】
【０００６】
しかしながら、前述のような蓋付ケースでは、窓部に透明カバー材を嵌め込むので、透明カバー材は、その形状及びサイズが窓部に対して高い精度で対応している必要があり、これにより、製造コストの低減を図るのが難しい、という問題がある。
一方、製造コスト低減のために、精度を低下させると、窓部に嵌め込んだ透明カバー材は、窓部との間に隙間が生じ、これにより、蓋付ケースの外観についての品質が損なわれる、という問題が生じる。
【０００７】
そこで、本発明は、上記した従来の技術の有する問題点に鑑みてなされたものであり、その目的とするところは、製造コストの低減を図ることができ、且つ、品質を確保することができる蓋付ケースを提供することにある。
【課題を解決するための手段】
【０００８】
本発明は、前述の目的を達成するためになされたものである。以下に、本発明の特徴点を、図面に示した発明の実施の形態を用いて説明する。
なお、符号は、発明の実施の形態において用いた符号を示し、本発明の技術的範囲を限定するものではない。
【０００９】
（第１発明）
（特徴点）
本発明の第１発明は、次の点を特徴とする。
すなわち、本第１発明は、長方形状に形成された開口(21A) を有する箱状の収納部(20)と、この収納部の開口(21A) を閉じるための蓋部(30)とを備えた蓋付ケース(10)であって、前記蓋部(30)には、外部から前記収納部(20)の内部を視認させるために開口された窓部(33)と、当該蓋部(30)の外側の面(34)を覆うとともに前記窓部(33)を塞ぐ透明カバー材(60)とが設けられ、前記透明カバー材(60)の短辺に沿った端縁部分(61)には、前記蓋部(30)の短辺に沿った端縁部分(35)に形成された嵌合部(36)と嵌合する被嵌合部(62)が設けられていることを特徴とする。
【００１０】
（第２発明）
（特徴点）
本発明の第２発明は、前述の第１発明において、次の特徴点を備えている。
すなわち、本第２発明は、前記蓋部(30)の長辺に沿った端縁部分(37)に、当該蓋部(30)の厚さ方向に突出する側壁部(38)が設けられていることを特徴とする。
【００１１】
（第３発明）
（特徴点）
本発明の第３発明は、前述の第１又は第２発明において、次の特徴点を備えている。
すなわち、本第３発明は、前記蓋部(30)及び前記透明カバー材(60)の間には、収納される内容物に関する情報が記されたシート状の表示部(70)が介装可能となっていることを特徴とする。
【発明の効果】
【００１２】
（第１発明の効果）
以上のように構成されている本発明は、以下に記載されるような効果を奏する。
すなわち、本発明の第１発明によれば、透明カバー材の短辺に沿った端縁部分に設けた被嵌合部を、蓋部の短辺に沿った端縁部分に形成した嵌合部と嵌合することで、透明カバー材を蓋部に取り付けるようにしたので、透明カバー材としては、蓋部における表側の面全体を覆う大きさのものを採用しても、蓋部に取り付けることができる。そして、透明カバー材で蓋部における表側の面全体を覆えば、蓋付ケースの外観についての品質をより良いものにすることができるうえ、蓋部に開口した窓部の大きさや形状によらず、透明カバー材で窓部を塞ぐことができる。
従って、透明カバー材は、その形状及びサイズを窓部に対して高い精度で対応させる必要がなくなり、これにより、製造コストの低減を容易に図ることができ、且つ、窓部は透明カバー材で塞がれるようになるので、蓋付ケースの外観が良くなり、ひいては、蓋付ケースの品質を向上することができ、以上により、前記目的が達成される。
【００１３】
（第２発明の効果）
本発明の第２発明によれば、前述した第１発明の効果に加え、次のような効果を奏することができる。
すなわち、本第２発明によれば、蓋部の長辺に沿った端縁部分に、当該蓋部の厚さ方向に突出する側壁部を設けたので、蓋部を長手方向に撓ませる力に対する剛性が確保され、蓋部を開閉操作する際に、使用者に蓋部の剛性感を覚えさせることができ、蓋付ケースの使用感がよくなり、ひいては、蓋付ケースの品質を向上することができる。
ここで、従来からあるＣＤケース等の透明ケースについては、透明な蓋部に剛性がなく、この蓋部のヘナヘナした頼りなさから、使用者に何となく不安感を覚えさせる。一方、本第２発明によれば、蓋部に剛性が確保され、しかも、剛性が確保された蓋部に透明カバー材が取り付けられるので、蓋部及び透明カバー材の両方について剛性が確保され、従来の蓋部におけるヘナヘナした頼りなさを解消でき、使用者に安心感を覚えさせることができ、この点からも、蓋付ケースの品質を向上することができる。
【００１４】
（第３発明の効果）
本発明の第３発明によれば、前述の第１又第２の発明の効果に加え、次のような効果を奏する。
すなわち、本発明の第３発明によれば、蓋部及び透明カバー材の間に、収納される内容物に関する情報が記されたシート状の表示部を介装できるようにしたので、蓋部よりもサイズが小さければ、表示部の大きさや形状によらず、蓋部及び透明カバー材の間に介装でき、表示部のデザイン状の自由度が拡張され、表示部のデザイン向上を容易に図ることができ、これにより、蓋付ケースの外観が良くなり、ひいては、蓋付ケースの品質を向上することができる。
【図面の簡単な説明】
【００１５】
【図１】本発明の一実施形態に係る蓋付ケースを示す斜視図である。
【図２】前記実施形態に係る蓋付ケースを示す底面側から見た斜視図である。
【図３】前記実施形態に係る蓋付ケースを示す展開状態の側面図である。
【図４】前記実施形態に係る蓋付ケースのストッパ廻りを示す正面図である。
【図５】前記実施形態に係る蓋付ケースを示す平面図である。
【図６】前記実施形態に係る嵌合部及び被嵌合部を示す断面図である。
【図７】前記実施形態に係る収納側壁部廻りを示す断面図である。
【発明を実施するための形態】
【００１６】
以下に、本発明を実施するための形態である一実施形態について、図面を参照しながら説明する。
本実施形態に係る蓋付ケース10は、図１に示すように、平たい直方体状に形成され、内部に図示しない棒状筆記具、例えば、複数の色鉛筆を収納するものとなっている。
また、蓋付ケース10は、合成樹脂製のものであり、長方形状に形成された開口21A を有する箱状の収納部20と、この収納部20の開口21A を閉じるための蓋部30と、図２に示すように、収納部20及び蓋部30のそれぞれにおける長辺に沿った部位同士を相互に連結する帯部40とが一体成形された本体部11を備えている。
【００１７】
このうち収納部20には、図２の如く、底面21の四つの角隅近傍から、図２中、それぞれ上方へ突出する脚部22が設けられている。
また、収納部20の底面21には、それぞれ大小二つの凹部23, 24が設けられている。凹部23, 24のうち、大きいほうの凹部23の底板部25は、波板状に形成されている。
蓋付ケース10は、波状に形成された底板部25におけるＵ字形の谷部分の内部に、図示しない色鉛筆をそれぞれ配置することで、複数の色鉛筆を落ち着きよく収納することができるようになっている。
【００１８】
ここで、蓋部30は、帯部40を介して収納部20に対して回動可能に、当該収納部20に取り付けられている。
すなわち、収納部には、図3に示すように、当該収納部の底、換言すると、底面21を形成する底板部26と、この底板部26の周縁に立設される収納側壁部27とが備えられている。
【００１９】
帯部40は、長手方向の両側に沿った端縁のうち、一端縁が第１ヒンジ部41として収納側壁部27に回動可能に連結され、他端縁が第２ヒンジ部42として蓋部30に回動可能に連結されている。
以上において、収納側壁部27の高さ寸法をｈとし、収納側壁部27の側面における一端縁αと第１ヒンジ部41が連結されている位置との距離をａ（ただし、ａ≧ｈ／２）としたときに、帯部40の幅寸法ｗは、
ｗ≧ａ
との関係を満たす寸法となっている。
そして、蓋部30は、収納部20の開口21A を閉鎖する閉鎖位置δから収納部20の裏側となる裏側位置γまで回動可能とされ、裏側位置γに配置されると、収納部20と重なり合うようなっている。
【００２０】
蓋部30の長辺における端縁部分の高さ寸法ｊは、収納部20に設けられた収納側壁部27の高さ寸法ｈと同じとなっている。
そして、蓋部30が閉鎖位置δに配置された状態で、収納側壁部27における上端位置に第１ヒンジ部41が設けられ、蓋部30の長辺における上端位置に第２ヒンジ部42が設けられている。
ここで、帯部40の幅寸法ｗは、収納側壁部27の高さ寸法ｈと等しくなっている。
【００２１】
図２に戻って、蓋部30及び収納側壁部27における図２中の手前の側面には、図2の如く、帯部40に対応した凹部31, 28が設けられている。
凹部31は、帯部40が蓋部30側に倒れた際に、蓋部30の当該側面から突出しないように、帯部40を内部に収納するものである。
凹部28は、帯部40が収納部20側に倒れた際に、収納側壁部27の当該側面から突出しないように、帯部40を内部に収納するものである。
【００２２】
図１に戻って、収納部20における帯部40が連結されていない収納側壁部27には、蓋部30の長辺のうち、帯部40が連結されていない方の長辺に沿った端縁部32を収納部20に係止するためのストッパ50が設けられている。
ストッパ50は、収納側壁部27に回動可能に連結される係止部としての係止片51と、
蓋部30に形成されて、係止片51を係止可能な被係止部としての突片52とを備えたものとなっている。
【００２３】
このうち、突片52の先端縁には、図1中において上下に突出する図示しない突条が設けられている。この突条によって、突片52の先端部分は、断面形状が略Ｔ字形となっている。
係止片51には、先端近傍を貫通するとともに、図1中、左右方向に細長い長孔53が形成されている。この長孔53における長手方向に延びる内側面には、対抗する内側面に向かって突出する係止爪54が設けられている。
【００２４】
ここで、係止片51は、図4に示されるように、蓋部30が閉鎖位置δに配置された状態では、係止爪54が、図４中、上方から突片52に向かって延び、突片52の前記突条に係止されるようになっている。
一方、係止片51は、図４の如く、蓋部30が裏側位置γに配置された状態では、係止爪54が、図４中、下方から突片52に向かって延び、突片52の前記突条に係止されるようになっている。
以上において、係止片51は、蓋部30が閉鎖位置δに配置された状態、及び、蓋部30が裏側位置γに配置された状態のいずれにおいても、突片52に係止可能となっている。
【００２５】
蓋部30には、図５に示すように、外部から収納部の内部を視認させるために開口された窓部33と、図６に示すように、当該蓋部30の外側の面34を覆うとともに窓部33を塞ぐ透明カバー材60とが設けられている。
透明カバー材60の短辺に沿った端縁部分61は、図６の如く、Ｌ字形状に折れ曲がっている。この端縁部分61の折れ曲がった先端近傍には、蓋部30の短辺に沿った端縁部分35に向かって突出する被嵌合部としての嵌合突起62が設けられている。
蓋部30の短辺に沿った端縁部分35には、透明カバー材60の嵌合突起62を嵌合させる嵌合部としての凹部36が設けられている。
【００２６】
図５に戻って、透明カバー材60の、図５中、上方に配置されている端縁部分61には、図５に示すように、折れ曲がった先端近傍が部分的に切り欠かれた切り欠き部63が設けられている。この切り欠き部63を通して、蓋部30の端縁部分35の一部分が外部に露出している。
この蓋部30の端縁部分35における透明カバー材60から露出した部分には、コインＣを差し込むことができるスリット状の凹部35A が設けられている。
このような凹部35A に差し込まれたコインＣを抉ることにより、蓋部30から透明カバー材60が外れるようになっている。
【００２７】
ここで、透明カバー材60は、通常の使用では蓋部30から不意に外れることがない。また、幼児等の子供では、蓋部30から取り外すことができないが、大人等がコインＣを利用することで、簡単に、蓋部30から取り外すことができるようになっている。
そして、蓋部30から取り外された透明カバー材60は、その端縁部分61を蓋部30の端縁部分35に沿わせて蓋部30に向かって押し付けることで、蓋部30に容易に装着可能となっている。
【００２８】
また、蓋部30の長辺に沿った端縁部分37には、図５の如く、当該端縁部分37のほぼ全長にわたって延びるとともに、図７に示すように、当該蓋部30の厚さ方向に突出する側壁部38が設けられている。
この側壁部38の図７中における上側の先端部分39は、透明カバー材60の表側の面よりも、図７中、上方となる位置に達している。
【００２９】
また、側壁部38には、先端部分39の透明カバー材60側の角部が面取りされて傾斜面39A が設けられている。
図３に戻って、傾斜面39A には、図３の如く、蓋部30が裏側位置γに配置された状態で、収納部20におけるヒンジ40が連結されていない側の長辺近傍に配置された脚部22が当接するようになっている。
この傾斜面39A に対する脚部22の当接高さ位置は、裏側位置γに配置された蓋部30に対して収納部20が平行となり、ひいては、蓋部30が裏側位置γに配置された状態の蓋付ケース10が水平面に置かれた際に、収納部20が水平となるように設定されている。
【００３０】
蓋部30及び透明カバー材60の間には、図６及び図７の如く、紙や合成樹脂等からなるシート状に形成された表示部70が介装されている。この表示部70の表側の面には、例えば、この蓋付ケース10に収納される棒状筆記具に関する情報が印刷されている。
また、表示部70は、図５の如く、蓋部30に形成された窓部33の図５中の下方に配置されている。
【００３１】
ここで、蓋部30から透明カバー材60を取り外した後、表示部70を新たな表示部に交換し、再度、蓋部30に透明カバー材60を取り付ければ、表示部70を交換することが可能となっている。
これにより、使用者が表示部70に描かれた絵等の表示物に飽き、新たな表示物に交換したい場合、あるいは、表示部70を自分の描いた絵に交換したい場合に、表示部70の交換が可能となっている。
特に、テレビ等に新しくキャラクターが登場した際に、当該キャラクターの描かれた新しい表示部をインターネット経由等で配布し、今までの表示部70を配布された表示部に交換すれば、子供にありがちな、新しいキャラクターを商品化した新製品が欲しいだけの理由による買い替えを防止することができ、当該蓋付ケース10、及び、その内部に収納された物を長く使用してもらえるようになる。
【００３２】
（実施形態の効果）
前述のような本実施形態によれば、次のような効果が得られる。
すなわち、透明カバー材60の短辺に沿った端縁部分61に設けた嵌合突起62を、蓋部30の短辺に沿った端縁部分35に形成した凹部36と嵌合することで、透明カバー材60を蓋部30に取り付けるようにしたので、透明カバー材60としては、蓋部30における表側の面34全体を覆う大きさのものを採用しても、蓋部30に取り付けることができる。そして、透明カバー材60で蓋部30における表側の面全34体を覆えば、蓋付ケース10の外観についての品質をより良いものにすることができるうえ、蓋部30に開口した窓部33の大きさや形状によらず、透明カバー材60で窓部33を塞ぐことができる。
従って、透明カバー材60は、その形状及びサイズを窓部33に対して高い精度で対応させる必要がなくなり、これにより、製造コストの低減を容易に図ることができ、且つ、窓部33は透明カバー材60で塞がれるようになるので、蓋付ケース10の外観が良くなり、ひいては、蓋付ケース10の品質を向上することができる。
【００３３】
また、蓋部30の長辺に沿った端縁部分に、当該蓋部30の厚さ方向に突出する側壁部38を設けたので、蓋部30を長手方向に撓ませる力に対する剛性が確保され、蓋部30を開閉操作する際に、使用者に蓋部30の剛性感を覚えさせることができ、筆記具ケー10スの使用感がよくなり、ひいては、蓋付ケース10の品質を向上することができる。
ここで、従来からあるＣＤケース等の透明ケースについては、前述したように、透明な蓋部に剛性がなく、この蓋部のヘナヘナした頼りなさから、使用者に何となく不安感を覚えさせる。一方、本実施形態によれば、蓋部30に剛性が確保され、しかも、透明カバー材60の端縁部分61がＬ字形状に折れ曲がっており、これにより、透明カバー材60についても剛性が確保される。このため、剛性が確保された蓋部30に、剛性が確保された透明カバー材60が取り付けられるので、蓋部30全体の剛性が十分に確保され、従来の蓋部におけるヘナヘナした頼りなさを解消でき、使用者に安心感を覚えさせることができ、この点からも、蓋付ケースの品質を向上することができる。
【００３４】
さらに、蓋部30及び透明カバー材60の間に、当該蓋付ケース10に収納される棒状筆記具に関する情報が記されたシート状の表示部70を介装するようにしたので、蓋部30よりもサイズが小さければ、表示部70の大きさや形状によらず、蓋部30及び透明カバー材60の間に表示部70を介装でき、表示部70のデザイン状の自由度が拡張され、表示部70のデザイン向上を容易に図ることができ、これにより、蓋付ケース10の外観が良くなり、ひいては、蓋付ケース10の品質を向上することができる。
【００３５】
なお、本発明は、前記実施形態に限定されるものではなく、本発明の目的を達成できる範囲における変形及び改良などをも含むものである。
例えば、前記実施形態では、透明カバー材60の短辺に沿った端縁部分61に設けた嵌合突起62を、蓋部30の短辺に沿った端縁部分35に形成した凹部36と嵌合することで、透明カバー材60を蓋部30に取り付けるようにしたが、透明カバー材60及び蓋部30の嵌合構造は、これに限らず、透明カバー材60の短辺に沿った端縁部分61を貫通する嵌合孔に、蓋部30の短辺に沿った端縁部分35に形成した突起を嵌合させるようにしてもよい。
【符号の説明】
【００３６】
１    収納部                          1A   収納側壁部
２    蓋部                            ３    帯部
3A   ヒンジ部                         3B   ヒンジ部
10    蓋付ケース                      11    本体部
20    収納部                          21A   開口
21    底面                            22    脚部
23    凹部                            24    凹部
25    底板部                          26    底板部
27    収納側壁部                      28    凹部
30    蓋部                            31    凹部
32    端縁部                          33    窓部
34    面                              35    端縁部分
36    凹部                            37    端縁部分
38    側壁部                          39    先端部分
40    帯部                            41    ヒンジ部
42    ヒンジ部                        50    ストッパ
51    係止片                          52    突片
53    長孔                            54    係止爪
60    透明カバー材                    61    端縁部分
62    嵌合突起                        70    表示部
α    一端縁                          β    他端縁
γ    裏側位置                        δ    閉鎖位置
【図１】
2014227210.tif 000003
【図２】
2014227210.tif 000004
【図３】
2014227210.tif 000005
【図４】
2014227210.tif 000006
【図５】
2014227210.tif 000007
【図６】
2014227210.tif 000008
【図７】
2014227210.tif 000009